(57)【要約】【課題】載置部を有効に利用できる充電機能付きの載置台を提供する。【解決手段】物が載せられる載置部９の下方に一端に形成された機器挿入口１３から横方向に開口する機器収納部１１が形成される。機器収納部１１に収納された電気機器２を充電する充電手段１２を備える。【選択図】図１
2010259268.tif 000002
【特許請求の範囲】
【請求項１】
物が載せられる載置部の下方に一端に形成された機器挿入口から横方向に開口する機器収納部が形成され、該機器収納部に収納された電気機器を充電する充電手段を備えることを特徴とする載置台。
【請求項２】
前記機器挿入口を開閉自在に閉塞する蓋と、機器収納部から電気機器が取り出されたときに機器挿入口を前記蓋で閉塞する閉塞手段を備えることを特徴とする請求項１項に記載の載置台。
【請求項３】
前記機器収納部が機器挿入口から奥側に向かって下り傾斜し、該機器収納部の下端部に機器収納部内の水を排出するための水抜き孔が形成されることを特徴とする請求項１又は請求項２に記載の載置台。
【発明の詳細な説明】
【技術分野】
【０００１】
本発明は充電機能付きの載置台に関する。
【背景技術】
【０００２】
従来、浴室等に設けられる載置台として、電気シェーバーや電動歯ブラシ等の電気機器を充電するための機能を備えた充電機能付きのものが特許文献１により知られている。
【０００３】
この載置台は物が載せられる載置部の上面に凹部が形成され、この凹部に底部が嵌め込まれた電気機器を充電手段で充電できるようになっている。
【先行技術文献】
【特許文献】
【０００４】
【特許文献１】特開平９−３２２４３６号公報
【発明の概要】
【発明が解決しようとする課題】
【０００５】
ところで、前記載置台は、充電時には載置部上に電気機器が配置されるため、載置部に物を載せる面積が小さくなってしまう。また、電気機器を配置していない場合にあっても、載置部の上面に形成された凹部が邪魔なり、該凹部が形成された部分を物を載せるためのスペースとして利用し難い。
【０００６】
本発明は前記従来の事情に鑑みてなされたものであって、載置部を有効に利用できる充電機能付きの載置台を提供することを課題とする。
【課題を解決するための手段】
【０００７】
上記課題を解決するために本発明の載置台は、物が載せられる載置部９の下方に一端に形成された機器挿入口１３から横方向に開口する機器収納部１１が形成され、該機器収納部１１に収納された電気機器２を充電する充電手段１２を備えることを特徴とする。
【０００８】
また、前記機器挿入口１３を開閉自在に閉塞する蓋２６と、機器収納部１１から電気機器２が取り出されたときに機器挿入口１３を前記蓋２６で閉塞する閉塞手段を備えることが好ましい。
【０００９】
また、前記機器収納部１１が機器挿入口１３から奥側に向かって下り傾斜し、該機器収納部１１の下端部に機器収納部１１内の水を排出するための水抜き孔２９が形成されるが好ましい。
【発明の効果】
【００１０】
本発明にあっては、載置部の下方に電気機器を収納するための機器収納部を形成することで、電気機器の充電時においては載置部上に電気機器を配置する必要がない。また、載置部の上面全体を一般的な物の載置に適した形状とすることがきる。したがって載置部を有効に利用できる。また、機器収納部を横方向に開口させることで、上方に開口させたものと比べて機器収納部に異物が入り難くなる。このため、機器収納部に電気機器を挿入したときに、電気機器に機器収納部内の異物が当たって電気機器が正しい充電位置にセットできなくなることを防止できる。
【００１１】
また、機器収納部から電気機器が取り出されたときには閉塞手段により機器挿入口を蓋で閉塞することができ、機器収納部に異物が一層入り難くなる。
【００１２】
また、前記機器収納部が機器挿入口から奥側に向かって下り傾斜したものであると、機器収納部から電気機器が抜け落ちて落下し難くなる。また、この機器収納部の下端部に水抜き孔を形成することで、水廻りに載置台を設けたときに、水抜き孔を利用して機器収納部内に侵入した水を効率良く排出することができる。
【図面の簡単な説明】
【００１３】
【図１】本発明の第一実施例の載置台に電気機器をセットした状態を示す側断面図である。
【図２】本発明の第二実施例の載置台の設置状態を示す側断面図である。
【図３】同上の載置台に電気機器をセットした状態を示す側断面図である。
【発明を実施するための形態】
【００１４】
以下、添付図面に基づいて本発明の実施形態につき説明する。
【００１５】
（第一実施例）
まず、図１に示す第一実施例につき説明する。本実施例の載置台１は浴室３の壁５に設置され、電気機器２としての電気シェーバーを充電する機能を備えたものである。
【００１６】
載置台１は壁５から室内側となる前方に向けて突設される台部６を備えている。台部６は下方の床から上方に離間して設けられ、棚として利用される。
【００１７】
台部６はブロック状に形成されている。台部６の後端部には上下に突出する取付部７が設けられている。台部６を壁５に取り付けるには、取付部７を壁５の浴室３側の面に沿わせた状態でビス８等で壁５に固着する。
【００１８】
台部６の上面はフラットな面としてあり、該台部６の上面部で洗面用具等の小物が載せられる載置部９を構成している。
【００１９】
載置部９の前縁には上方に突出して載置部９に載せられた小物が前方に落下することを防止する突起１０が形成されている。
【００２０】
台部６の内部には、電気機器２を出し入れ自在に収納する機器収納部１１と、機器収納部１１に隣接する充電手段１２が設けられている。
【００２１】
機器収納部１１は台部６の前部に形成されて前方に開口する凹部からなり、載置部９の下方に位置している。機器収納部１１の前端は台部６の前面から開口し、この台部６の前面に形成された開口が機器収納部１１に電気機器２を出し入れするための機器挿入口１３を構成している。
【００２２】
充電手段１２は非接触式の充電装置からなり、台部６の後部に形成された室１５に配設されている。
【００２３】
室１５は隔壁１７を介して機器収納部１１の後方に位置し、且つ、載置部９の下方に位置している。室１５は浴室３及び機器収納部１１から独立した空間であって、室１５内に水が浸入し難い構造となっている。室１５は背方の壁５を貫通する孔１６を通じて浴室３外に連通する。
【００２４】
充電手段１２の電源線１４は室１５から孔１６を介して引き出され、浴室３外の電源に接続されて電力の供給を受ける。
【００２５】
充電手段１２は隔壁１７の背面に沿って配設される。充電手段１２は、電気機器２に高周波電流を供給して電気機器２に内装された二次電池１８を充電する高周波発生部１９と、該高周波発生部１９によって行われる電気機器２の充電を行うか否かを切り替える制御部２０を備えている。
【００２６】
また、充電手段１２は隔壁１７に沿って配置される充電手段側リードスイッチ２１及び充電手段側磁石２２を備えている。
【００２７】
充電手段側リードスイッチ２１及び充電手段側磁石２２は、図１のように電気機器２を機器収納部１１の正しい位置にセットして収納したときに、電気機器２に設けられた機器側磁石２３及び機器側リードスイッチ２５の夫々に対応する箇所に配設されている。
【００２８】
充電手段１２によって電気機器２を充電するには、電気機器２を機器挿入口１３から機器収納部１１に挿入する。これによって電気機器２は、機器収納部１１の奥側の端部に配置された機器側磁石２３及び機器側リードスイッチ２５が隔壁１７を介して充電手段側リードスイッチ２１及び充電手段側磁石２２の夫々に対応する位置に配置された所定位置にセットされる。
【００２９】
このように電気機器２が機器収納部１１にセットされると、充電手段１２にあっては、機器側磁石２３の磁力により充電手段側リードスイッチ２１がＯＮに切り替えられる。そして、制御部２０はこの信号を受けてスイッチ４をＯＮにして高周波発生部１９を動作させ、電気機器２への充電を自動で開始し、以後、充電完了又は充電手段側リードスイッチ２１がＯＦＦとなるまで充電を行う。
【００３０】
また、電気機器２が機器収納部１１にセットされると、電気機器２の端部に設けられたＬＥＤ等の表示部２４が機器収納部１１の機器挿入口１３から前方に露出する。
【００３１】
ここで、上記のように電気機器２が機器収納部１１にセットされると、電気機器２にあっては、充電手段側磁石２２の磁力により機器側リードスイッチ２５がＯＮに切り替えられ、この信号を受けて前記載置台１の前方に露出した表示部２４を点灯する。この表示部２４による表示により、使用者は電気機器２が機器収納部１１に充電可能な所定位置に正しくセットされていることを認識することができる。
【００３２】
また、機器収納部１１に収納した電気機器２を機器挿入口１３から引き抜けば、充電手段側リードスイッチ２１及び機器側リードスイッチ２５がＯＦＦとなり、前記表示部２４が消灯される。
【００３３】
以上説明した本実施例の載置台１にあっては、載置部９の下方に電気機器２を収納するための機器収納部１１を形成したので、電気機器２の充電時においては載置部９上に電気機器２を配置する必要がない。また、載置部９の上面全体を一般的な物の載置に適したフラットな面とすることができる。このため載置台１の載置部９を有効に利用できる。
【００３４】
また、機器収納部１１を前方に開口させることで、上方に開口させたものと比べて機器収納部１１に異物が入り難くなる。このため、機器収納部１１に電気機器２を挿入したときに、電気機器２に機器収納部１１内の異物が当たって充電がなされない状態になり難い。
【００３５】
（第二実施例）
次に第二実施例につき説明する。なお以下の説明では第一実施例と異なる点につき説明し、重複する説明は省略する。
【００３６】
図２及び図３に示す本実施例の載置台１にあっては、機器収納部１１が電気機器２が出し入れされる機器挿入口１３から奥側となる後方に向かって下り傾斜した凹部からなる。機器収納部１１には、図３に示すように、電気機器２が、機器収納部１１の傾斜に沿って傾き、且つ、電気機器２の前端部を機器挿入口１３よりも前方に突出させた状態で収納され、この状態で充電手段１２による充電がなされる。
【００３７】
このように機器収納部１１を傾ければ、機器収納部１１から電気機器２が抜け落ちて落下し難くなる。また、電気機器２の機器挿入口１３から外部に突出した部分を掴んで機器収納部１１から電気機器２を容易に引き出すことができる。
【００３８】
また、台部６の前端部には機器収納部１１の機器挿入口１３を開閉自在に閉塞する蓋２６が設けられている。
【００３９】
蓋２６は一端部が機器挿入口１３の上縁部に左右軸回りに回動自在に枢支され、該枢支側端部を中心にして機器収納部１１内において前後に回動することで機器挿入口１３を開閉する。台部６の機器挿入口１３の下縁部には上方に突出する蓋当て部２７が形成されており、蓋２６は枢支側と反対側の端部が蓋当て部２７の後面に当接した状態で機器挿入口１３を閉塞する。
【００４０】
蓋２６は図示しないばねからなる付勢手段により前方に回動する方向に付勢されている。このため、蓋２６は外力を受けない状態、すなわち機器収納部１１に電気機器２を収納していない状態では、常に図２に示すよう機器挿入口１３を閉塞する。つまり、本実施例では、ばねが、機器収納部１１から電気機器２が取り出されたときに機器挿入口１３を自動的に蓋２６で閉塞する閉塞手段を構成している。このような閉塞手段を有することで、機器収納部１１に電気機器２を収納していないときの外観を向上できると共に機器収納部１１内に異物が入ることを一層防止できる。
【００４１】
蓋２６は、図２に示す状態において機器挿入口１３から機器収納部１１に電気機器２を挿入することで電気機器２によって後方に押し込まれ、これによって図３のようにばねに抗して後方に回動して機器挿入口１３が開いた状態となる。また、機器収納部１１に収納された電気機器２を引き抜けば、蓋２６はばねの付勢力により自動で前方に回動して図２のように機器挿入口１３を閉塞する。
【００４２】
機器収納部１１の最下端に位置する底面の後端部には、台部６の下面に通じる水抜き孔２９が形成されている。この水抜き孔２９によって機器収納部１１内の水を載置台１の外部に排出することができ、機器収納部１１に水が溜まることを防止できる。
【００４３】
また、本実施例では、第一実施例における電気機器２に設けた表示部２４に替えて、台部６の前面にＬＥＤ等の表示部３０を設けてある。表示部３０は台部６内を通した電線２８を介して充電手段１２に電気接続されている。
【００４４】
充電手段１２は、電気機器２が機器収納部１１にセットされて、機器側磁石２３の磁力により充電手段側リードスイッチ２１がＯＮに切り替えられたときに、この信号を受けて前記表示部３０を点灯する制御を行うよう設定してある。これにより、本実施例においても、使用者は表示部３０の表示を見て電気機器２が機器収納部１１に正しくセットされていることを認識することができる。そして、このように台部６に表示部３０を設ければ、充電手段側磁石２２及び機器側リードスイッチ２５を省略することができる。
【００４５】
本実施例の機器収納部１１、水抜き孔２９、蓋２６、及び表示部３０は夫々第一実施例の載置台１に適用してもよい。また、表示部３０は、電気機器２が機器収納部１１に正しくセットされていることを報知する他の報知手段に変更してもかまわない。
【００４６】
また、上記各実施例の載置台１は浴室３の壁５から突設して棚として利用されるものであるが、床から上方に突出した載置台等であってもよい。また、載置台１は、脱衣所等の浴室３以外の水廻りに設置されるものであってもよく、さらには洗面台等の設置物に設けられるものであってもよい。
【００４７】
また、載置台１は、電気シェーバー以外の電気機器を充電するものであってもよい。さらに機器収納部１１は機器挿入口１３から台部６の突出方向である前方に開口するものであるが、左右方向に開口するものであってもよく、すなわち機器収納部１１は機器挿入口１３から横方向に開口するものであればよい。また、台部６は左右に長い板状に形成されるものであってもよい。
【符号の説明】
【００４８】
１  載置台
２  電気機器
９  載置部
１１  機器収納部
１２  充電手段
１３  機器挿入口
２６  蓋
２９  水抜き孔
【図１】
2010259268.tif 000003
【図２】
2010259268.tif 000004
【図３】
2010259268.tif 000005